Podtech/llm-jp-corpus-v4-ja_patent huggingface dataset:
(57)【要約】【課題】スロット台を容易に固定できるスロット台装置を提供することを目的とする。【解決手段】一台又は複数のスロット台とそれを設置する設置設備２、及び、スロット台と設置設備を取付けて固定するための固定具からなり、設置設備２は、四角状に枠板と、その内部に配置された上部板２１と下部板２２からなり、スロット台1は、上部板２１と下部板２２の間に、載せて配置し、上部板２１に取付けた固定具３でスロット台1を押し付けて固定するようにしたスロット台装置。【選択図】図１
0003197654.tif 000002
【実用新案登録請求の範囲】
【請求項１】
一台又は複数のスロット台とそれを設置する設置設備２、及び、スロット台と設置設備を取付けて固定するための固定具からなり、設置設備2は、四角状の枠板と、その内部に配置された上部板21と下部板22からなり、スロット台1は、上部板21と下部板22の間に、載せて配置し、上部板21に取付けた固定具3でスロット台1を押し付けて固定するようにしたスロット台装置。
【考案の詳細な説明】
【技術分野】
【０００１】
本考案は、スロット台を容易に設置する固定具を用いたスロット台装置。
【背景技術】
【０００２】
スロット台の取付け、取外しに時間がかかっていた。
【考案の概要】
【考案が解決しようとする課題】
【０００３】
スロット台を容易に固定できるスロット台装置を提供する。
【課題を解決するための手段】
【０００４】
一台又は複数のスロット台とそれを設置する設置設備２、及び、スロット台と設置設備を取付けて固定するための固定具からなり、設置設備2は、四角状に枠板と、その内部に配置された上部板21と下部板22からなり、スロット台1は、上部板21と下部板22の間に、載せて配置し、上部板21に取付けた固定具3でスロット台1を押し付けて固定するようにしたスロット台装置。
【考案の効果】
【０００５】
スロット台を容易に固定できる。
【図面の簡単な説明】
【０００６】
【図１】スロット台装置の構成
【図２】スロット台の固定具の構成(a)無固定状態  （ｂ）固定状態
【考案を実施するための形態】
【０００７】
本考案のスロット台装置は、一台又は複数のスロット台とそれを設置する設置設備２、及び、スロット台と設置設備を取付けて固定するための固定具からなる。
設置設備2は、四角状に枠板と、その内部に配置された上部板21と下部板22からなり、スロット台1は、上部板21と下部板22の間に、載せて配置し、上部板21に取付けた固定具3でスロット台1を押し付けて固定する。
固定具3は、ハンドルによりピストンを上下にしてスロット台を固定するものである。
固定具3は、ハンドルによりピストンを上下にする機構（図示せず）、上下するピストン、ピストンの下端につけられた押え板３３、上部板２１に固定するための取付け部３４、ハンドル３１からなる。
ハンドル３１を反対側に倒すことにより図２の(a)無固定状態から、ピストン  ３２が下がり同時に押え板３３下がりスロット台1を押さえて固定する（ｂ）の固定状態に移行する。
【産業上の利用可能性】
【０００８】
スロット台を容易に固定できるスロット台装置を提供する。
【符号の説明】
【０００９】
１ スロット台
２ 設置設備
２１  上部板
２２  下部板
２３  枠板
３  固定具  
３１ ハンドル
３２ ピストン
３３ 押え板
３４ 取付け部
４  スロット台装置
P  ハンドル１８０度
【図１】
0003197654.tif 000003
【図２】
0003197654.tif 000004
(57)【要約】      （修正有）【課題】新陳代謝を高め、血液循環を促進し、体質を改善し、疾病を予防する効果の得られる履物を提供する。【解決手段】マイナスイオン素材３を添加した素材を加熱、発泡の工程によって、本体１と、本体１に連結し、かつ足の甲の部分に対応するアッパー２とを形成してなる。【選択図】図２
0003197517.tif 000002
【実用新案登録請求の範囲】
【請求項１】
マイナスイオン素材を添加した素材を加熱、発泡の工程によって、本体
と、該本体に連結し、かつ足の甲の部分に対応するアッパーとを形成してなる履物。
【請求項２】
前記マイナスイオン素材を添加する素材がＰＰＵか、ＥＶＡか、もしくはＰＥであることを特徴とする請求項１に記載の履物。
【請求項３】
前記マイナスイオン素材を添加する素材が天然ゴムか、もしくは合成ゴムであることを特徴とする請求項１に記載の履物。
【請求項４】
前記本体と、該アッパーとが一体に形成されることを特徴とする請求項１に記載の履物。
【請求項５】
前記アッパーが円弧面を形成することを特徴とする請求項１に記載の履物。
【請求項６】
前記マイナスイオン素材がラジウム粉か、遠赤外線を放出する鉱石であることを特徴とする請求項１に記載の履物。
【考案の詳細な説明】
【技術分野】
【０００１】
この考案は、マイナスイオン、遠赤外線による効果の得られる履物に関する。
【背景技術】
【０００２】
足は身体の全体重を支え、かつ歩行に用いる重要な部分である、同時に、人体の全体的な健康とも密接な関係がある。人体は各個の部分を組み立てて有機的な整体となる。足は整体の終端であるか、もしくはキーポイントである。このため、東洋医学では病に対する足の機能に注目し、足は精気の根源としてきた、即ち、経脈の内、１２本の正脈の６本と、８本の奇経の３本が足を通過している。また、足には、片足だけで３３のつぼが存在する。これらのつぼはいずれも特殊なものである。これらつぼを刺激すると、信号が経脈を通じて全身に至り、経脈をほぐして内臓の機能を改善し、疾病を予防する効果が得られる。
【０００３】
人は、長時間にわたって作業用の靴を履いて立ち、動きまわる。例えば、労働者、医師、看護師、教師などは、往々にして靴を履くと一日中履いたままである。足に合わない靴を履いた場合、短時間では違和感があったり、病気になったりしないが、長期にわたって足に合わない靴を履いていれば足の病気に罹るのみならず、身体のその他部位の病変を招くこともある。係る欠点を改善すべく、新規な設計が望まれている。
【考案の概要】
【考案が解決しようとする課題】
【０００４】
この考案は、新陳代謝を高め、血液循環を促進し、体質を改善し、疾病を要望する効果の得られる履物を提供することを課題とする。
【課題を解決するための手段】
【０００５】
そこで、本考案者はマイナスイオン素材を添加した素材を加熱、発泡の工程によって、本体と、該本体に連結し、かつ足の甲の部分に対応するアッパーとを形成してなる履物によって課題を解決でできる点に着眼し、係る知見に基づいて本考案を完成させた。
【０００６】
以下この考案について説明する。請求項１に記載する履物は、マイナスイオン素材を添加した素材を加熱、発泡の工程によって、本体と、該本体に連結し、かつ足の甲の部分に対応するアッパーとを形成してなる。
【０００７】
請求項２に記載する履物は、請求項１におけるマイナスイオン素材を添加する素材がＰＰＵか、ＥＶＡか、もしくはＰＥである。
【０００８】
請求項３に記載する履物は請求項１におけるマイナスイオン素材を添加する素材が天然ゴムか、もしくは合成ゴムである。
【０００９】
請求項４に記載する履物は、請求項１における記本体と、該アッパーとが一体に形成される。
【００１０】
請求項５に記載する履物は、請求項１におけるアッパーが円弧面を形成する。
【００１１】
請求項６記載する履物は、請求項１におけるマイナスイオン素材がラジウム粉か、遠赤外線を放出する鉱石である。
【図面の簡単な説明】
【００１２】
【図１】この考案による履物の外観を示した斜視図である。
【図２】この考案に履物の内部構造を示した説明図である。
【図３】この考案による履物の使用態様を示した説明図である。
【考案を実施するための形態】
【００１３】
この考案は、新陳代謝を高め、血液循環を促進し、体質を改善し、疾病を予防する効果の得られる履物を提供するものであって、マイナスイオン素材を添加した素材を加熱、発泡の工程によって、本体と、該本体に連結し、かつ足の甲の部分に対応するアッパーとを形成してなる。係る履物の構造と特徴を説明するために、具体的な実施例を挙げ、図面を参照にして以下に詳述する。
【実施例】
【００１４】
図１、図２に開示するように、この考案による履物は、本体１と、アッパー２とによってなり、本体１はマッサージ層３を具える。アッパー２は本体１に連結し、足の甲の部分に対応する。
【００１５】
本体１とアッパー２とは、加熱、発泡の工程によって製造し、かつ素材にマイナスイオン素材を添加する。また、本体１とアッパー２とは一体に形成し、かつアッパー２は円弧面を形成する。
【００１６】
本体１とアッパー２の素材は、例えばＰＰＵ、ＥＶＡ、もしくはＰＥであってもよく、また天然ゴム、合成ゴムであってもよい。好ましくはエチレン酢酸ビニル共重合体（エチレンアクリル酸エステル共重合体）であって、即ち、ＥＶＡである。
【００１７】
マイナスイオン素材は、例えばラジウム粉、もしくは遠赤外線を放出する鉱石であってもよい。
【００１８】
以上によって、この考案による履物を構成する。
【００１９】
この考案の履物は、加熱、発泡の工程において、合成樹脂にマイナスイオン素材を添加する。マイナスイオン素材が、持続的に遠赤外線とマイナスイオンを放出することによって、使用者の新陳代謝を高め、血液循環を促進するなどの効果を達成する。
【００２０】
本体１の上面には、人体の足底のつぼに対応してデザインした特殊な、かつ軟質のマッサージ突起１１を複数形成する。このため足底の神経のツボを刺激し、経脈をほぐし、体質を改善し、疾病を予防するといった効果が得られ、使用者の健康維持を達成するといった効能を具える。
【００２１】
図３に開示するように、この考案による履物を履いた状態において、使用者の足は本体１とアッパー２との間に存在する。本体１とアッパー２とはマイナスイオン素材３を含むため、持続的に足のツボを刺激する。このため、この考案による履物を履くと、使用者の新陳代謝を高め、血液循環を促進するなどの効果が得られる。
【符号の説明】
【００２２】
１               本体
１１             マッサージ突起
２               アッパー
３               マイナスイオン素材
【図１】
0003197517.tif 000003
【図２】
0003197517.tif 000004
【図３】
0003197517.tif 000005
(57)【要約】      （修正有）【課題】筆記可能な薄地のプラスチックシートを用いて鉛筆や色鉛筆を用いて表面に記入可能なクリアファイルを提供する。【解決手段】エンボス加工、マット加工等により、表面１に微細な凹凸を形成することにより筆記可能となる薄地のプラスチックシート材料を使用することで、表面１に特殊な印刷を施すことなくして、鉛筆や色鉛筆を用いてクリアファイルＦの表面１に記入と消しゴムでの消去が可能になることを特徴とする。【選択図】図１
0003197560.tif 000002
【実用新案登録請求の範囲】
【請求項１】
筆記可能な薄地のプラスチックシートを使用し、表面に特殊な印刷を施すことなくして、鉛筆や色鉛筆などを用いてクリアファイルの表面に記入ができることを特徴とする筆記可能クリアファイル。
【請求項２】
前記の材料に対する印刷は、材料の裏面からオフセット印刷を用いて絵や文字、写真などを印刷した請求項１に記載の筆記可能クリアファイル。
【考案の詳細な説明】
【考案の詳細な説明】
【技術分野】
【０００１】  本発明は、鉛筆や色鉛筆で筆記できる、プラスチックシートに関する。
【背景技術】
【０００２】  プラスチック製のクリアファイルの表面には鉛筆や色鉛筆では筆記できないので使用者が任意の意匠を施すことができなかった。
【考案が解決しようとする課題】
【０００３】  クリアファイル表面に筆記可能なプラスチックシートを使用することで、塗り絵やメモ使用することができ、印刷を施されたクリアファイルに自分の好みの意匠を付与することができる。
【課題を解決するための手段】
【０００４】  プラスチックシートとしては、オレフィン系樹脂シートが好ましく、エンボス加工、マット加工等により、表面に微細な凹凸を形成することにより、鉛筆や色鉛筆での筆記、消しゴムなどでの筆記物の消去が可能になる。
【考案実施の形態】
【０００６】図１は本考案の筆記可能クリアファイル（Ｆ）の視図である。メモなどへの使用を前提としたベース部分の印刷はクリアファイル表面（１）の裏面から印刷をしている。図１で筆記可能クリアファイル（Ｆ）の左辺（ａ）は山折になっており、底辺（ｂ）は圧着されている。そのため左辺（ａ）と底辺（ｂ）は閉じた状態になっている。上辺（ｄ）と右辺（ｃ）は開口しているため、ここから書類等を出し入れすることができる。筆記可能クリアファイル（Ｆ）の表面には製造工程において予め筆記に対応できる加工が施してあり、かつ、使用する材料全体に同様の処理が施されていることから筆記可能な範囲を限定せず、結果として表面のどの箇所にも筆記が可能となる。また、筆記可能クリアファイル表面（１）の裏面から宣伝広告用の印刷（Ｐ）を施すことで、宣伝効果の高いノベルティー商品や販売促進商品等としても使用することができる。この仕様で印刷されている筆記機能を持った筆記可能クリアファイル（Ｆ）は宣伝広告用の印刷（Ｐ）を施しても筆記に影響を与えない。
【考案の効果】
【０００７】本考案は、クリアファイルとして利用でき、更に表面のどの部分にも筆記が可能なことから作成者の意図を容易に反映させることができ、デザイン性の高い筆記可能なクリアファイルを提供することができる。且つ、シートに印刷されることによってクリアファイルとして使用後も宣伝広告が可能である。
【図面の簡単な説明】
【図１】本考案の印刷物である筆記可能クリアファイル視図。
【図２】図１の筆記可能クリアファイルを展開した際の視図。
【符号の説明】Ｆ  筆記可能クリアファイル
Ｐ  宣伝広告用の印刷
１  筆記可能クリアファイルの表面
ａ  左辺
ｂ  下辺
ｃ  右辺
ｄ  上辺
【図１】
0003197560.tif 000003
【図２】
0003197560.tif 000004
【手続補正書】
【提出日】平成26年12月17日(2014.12.17)
【手続補正１】
【補正対象書類名】実用新案登録請求の範囲
【補正対象項目名】全文
【補正方法】変更
【補正の内容】
【実用新案登録請求の範囲】
【請求項１】
筆記可能な薄地のプラスチックシート材料を使用することで、表面に特殊な印刷を施すことなくして、鉛筆や色鉛筆を用いてクリアファイルの表面に記入と消しゴムでの消去が可能になることを特徴とする筆記可能クリアファイル。
【請求項２】
前記の材料に対する印刷は、材料の裏面からオフセット印刷を用いて絵や文字、写真を印刷した請求項１に記載の筆記可能クリアファイル。
【手続補正書】
【提出日】平成27年3月9日(2015.3.9)
【手続補正１】
【補正対象書類名】実用新案登録請求の範囲
【補正対象項目名】全文
【補正方法】変更
【補正の内容】
【実用新案登録請求の範囲】
【請求項１】
エンボス加工、マット加工等により、表面に微細な凹凸を形成することにより筆記可能となる薄地のプラスチックシート材料を使用することで、表面に特殊な印刷を施すことなくして、鉛筆や色鉛筆を用いてクリアファイルの表面に記入と消しゴムでの消去が可能になることを特徴とする筆記可能クリアファイル。
(57)【要約】      （修正有）【課題】便器使用時の衣類汚染を防止する事が出来る洋式便器の便座を提供する。【解決手段】洋式便器の使用時、衣類及び下着の汚染を防止する為に便座又は便座全体形状を便器の前部又はその全体をかぶせる形状にした構造を有する。この構造にする事に依り、便器と便座とのすき間をなくし、その使用時に衣類を汚す事がなくなる。【選択図】図３
0003197559.tif 000002
【実用新案登録請求の範囲】
【請求項１】
洋式便器の使用時、衣類及び下着の汚染を防止する為めに考案した便器、便座の形状。
【考案の詳細な説明】
【考案の詳細な説明】
この考案は洋式便器での使用時、衣類を下げた時、便器と便座との仕切り部分に、すき間があり、このすき間に衣類が入り込み汚染する場合があり、不衛生である、之を防止する為めに、便座の形状を、従来の物と改良して便座の前部又は便座全体の形状を変える事に依りその汚染を防止する事が出来る。
【考案上の利用分野】
この考案は、便器の便座形状を改良することにある。
【背景技術】従来は便器と便座との間にすき間があつた。
【考案が解決しようとする課題】
今迄は便器と便座とのすき間に、便器使用時に衣類及び下着がはさまり、汚染し不衛生であつたが、この考案に依り便座の形状を変え、その汚染を防止する目的で考案した。
【課題を解決する為めの手段】
便座の前部又は便座全体の形状を図２、図４の如く便器の前部、又はその全体、つまり便器上部をかぶせる様に便座の形状にすると、便器と便座との間のすき間をなくし衣類の汚染を防止する。
【作用】
この考案で便器と便座とのすき間がカバーされ、衣類の汚染が無くなつた。
【考案の効果】
作用にて述べた如く、衣類の汚染を防止することが出来る。
【図面の簡単な説明】本考案の正面及び側面図である。
【図１】
0003197559.tif 000003
【図２】
0003197559.tif 000004
【図３】
0003197559.tif 000005
【手続補正書】
【提出日】平成26年12月13日(2014.12.13)
【手続補正１】
【補正対象書類名】実用新案登録請求の範囲
【補正対象項目名】全文
【補正方法】変更
【補正の内容】
【実用新案登録請求の範囲】
【請求項１】
洋式便器の使用時、衣類及び下着の汚染を防止する為に便器、便座のすき間をなくするという構造を有する洋式便器の便座。
【手続補正２】
【補正対象書類名】明細書
【補正対象項目名】全文
【補正方法】変更
【補正の内容】
【考案の詳細な説明】
【技術分野】
【０００１】この考案は、洋式便器の便座形状を改良することにある。
【背景技術】
【０００２】  従来の洋式便座は、図１にように便器と便座との間にすき間があった。
【考案の概要】
【考案が解決しようとする課題】
【０００３】    今迄は便器と便座とのすき間に、便器使用時に衣類及び下着がはさまり、汚染し不衛生であったが、この考案に依り便座の形状を変え、その汚染を防止する目的で考案した。
【課題を解決するための手段】
【０００５】  便器の前部又は便座全体の形状を図２、図３の如く便器の前部又はその全体、つまり便器上部をかぶせる様に便座の形状にすると便器と便座との間のすき間をなくし、衣服の汚染を防止する。
【考案の効果】
【０００６】  この考案で便器と便座とのすき間がカバーされ、衣服の汚染が無くなった。
【図面の簡単な説明】
【０００７】
【図１】  従来の便器、便座の正面図
【図２】  考案の便器、便座の正面図
【図３】  考案の便器、便座の側面図
【手続補正３】
【補正対象書類名】図面
【補正対象項目名】図２
【補正方法】変更
【補正の内容】
【図２】
0003197559.tif 000006
【手続補正書】
【提出日】平成27年3月5日(2015.3.5)
【手続補正１】
【補正対象書類名】実用新案登録請求の範囲
【補正対象項目名】全文
【補正方法】変更
【補正の内容】
【実用新案登録請求の範囲】
【請求項１】
洋式便器の使用時、衣類及び下着の汚染を防止する為に便座又は便座全体形状を便器の前部又はその全体をかぶせる形状にした構造を有する洋式便器の便座。
(57)【要約】      （修正有）【課題】身長の記録を柱や壁に傷をつけたりペンなどで直接書かなくて記録できる成長記録ステッカーを提供する。【解決手段】表面に測定対象者の身長を示す柱又は壁の高さ位置を指し示すための矢印２が表示されており、裏面に接着手段を有する。前記表面にさらに、身長を測定した対象者の名前、測定日、その時の身長、その時の夢、その時の出来事や特徴を記載する欄３、４が設けられていて、小スペースで様々な記録が出来る。【選択図】図１
0003197558.tif 000002
【実用新案登録請求の範囲】
【請求項１】
表面に位置を示す矢印、名前を記載する欄、および、日付を記載する欄を設けた成長記録ステッカー。
【請求項２】
矢印の向きが左右を選択可能な請求項1に記載の成長記録ステッカー。
【請求項３】
裏面に接着手段を有する請求項１，または請求項２に記載の成長記録ステッカー。
【考案の詳細な説明】
【技術分野】
【０００１】
本考案は、子どもの成長を記録できるステッカーである。身長の印(矢印)とその日の日付、その時抱いている子どもの夢を記入出来るものである。
【背景技術】
【０００２】
柱や壁に傷をつけることなく、ステッカーで貼り直しができ、必要事項も記載できるものとしている。
【先行技術文献】
【特許文献】
【０００３】
【特許文献１】実用新案登録第３１１６５１０号
【考案の概要】
【考案が解決しようとする課題】
【０００４】
身長の記録を柱や壁に傷をつけたりペンなどで直接書かなくて済むような手段が求められている。
【課題を解決するための手段】
【０００５】
第１の考案は、表面に位置を示す矢印、名前を記載する欄、および、日付を記載する欄を設けた成長記録ステッカーである。
第２の考案は、第１の考案において、矢印の向きが左右を選択可能な成長記録ステッカーである。
第３の考案は、第１、または、第２の考案において、裏面に接着手段を有する成長記録ステッカーである。
【考案の効果】
【０００６】
日本では昔、子どもの成長を残す為に当時の記録を家の柱に傷を付けたり、ペンなどで書いたりしていた文化があった。しかし、現代では柱がない家の増加と、傷やペンなどで書くことへの住宅価値の低下や抵抗、賃貸住宅問題、記録を残す為の手段の増加などにより、そのものの文化が消えつつある。成長の記録と日本の風習を現代に少しでも残すための考案である。
【０００７】
ステッカーであるため、柱に傷を付けることなく、平面上であれば使用が可能となる。場所を選ばなくて済むことにつながる。また、ステッカーであるため、複数の子どもの記録が重なることがなく、左右どちらからでも印すことが可能である。そして、見やすいということと印すことの手間が省けることが可能である。身長計としての機能だけなく、その時抱えている子どもの夢も一緒に記録でき、思い出としても残りやすくした。
【図面の簡単な説明】
【０００８】
【図１】本考案の第１の実施例を示した図である。（左向き矢印)
【図２】本考案の第２の実施例を示した図である。（右向き矢印)
【考案を実施するための形態】
【実施例】
【０００９】
図1は、矢印２を左向きとした例である。図2に示した右向きと2種類があり、左右どちらからでも貼ることが出来る。２は矢印である。３は名前や日付が記入できる空欄となっており、４にはその時の子どもの夢が記入できる。５はセンチメートルを記入できる。図2は図1の逆の矢印２のものである。二種類あるため、左右どちらに向けても貼ることが出来る。２は矢印として、３は名前や日付が記入できるよう空欄となっており、４はその時の子どもの夢が記入できる。５はセンチメートルを記入できる。裏面に接着手段を有する。裏面の接着手段は，通常の封筒等に用いるものが使用可能である。例えば、紙などの胴部分に接着剤を塗り、シリコン加工したテープで覆ったものが使用できる。この場合は、テープをはがして接着する。両面テープであっても良い。
【産業上の利用可能性】
【００１０】
ステッカー業界に新たな市場と価値を提供する
【符号の説明】
【００１１】
１  本考案の成長記録ステッカー
２  矢印
３  名前や日付が記入できる空欄
４  子どもの夢が記入できる空欄
５  センチメートルが記入できる欄
【図１】
0003197558.tif 000003
【図２】
0003197558.tif 000004
【手続補正書】
【提出日】平成26年11月10日(2014.11.10)
【手続補正１】
【補正対象書類名】実用新案登録請求の範囲
【補正対象項目名】全文
【補正方法】変更
【補正の内容】
【実用新案登録請求の範囲】
【請求項１】
柱又は壁に貼り付けて測定対象者の身長を表示する成長記録ステッカーである。
【請求項２】
成長記録ステッカーの表面には測定対象者の身長を示す柱又は壁の高さ位置を指し示すための矢印が表示されている。
【請求項３】
成長記録ステッカーの表面には、身長を測定した対象者の名前を記載する欄と測定日を記載する欄とが設けられている。
【手続補正書】
【提出日】平成27年1月14日(2015.1.14)
【手続補正１】
【補正対象書類名】実用新案登録請求の範囲
【補正対象項目名】全文
【補正方法】変更
【補正の内容】
【実用新案登録請求の範囲】
【請求項１】
柱又は壁に貼り付けて測定対象者の身長(記録)を表示する成長記録ステッカーである。 
【請求項２】
成長記録ステッカーの表面には測定対象者の身長を示す柱又は壁の高さ位置を指し示すための矢印が表示されており、その他、身長を測定した対象者の名前を記載する欄、測定日やその時の身長・その時の夢などを記載する欄などが設けられていて、小スペースで様々な記録が出来る請求項1記載の成長記録ステッカー。
【手続補正書】
【提出日】平成27年3月12日(2015.3.12)
【手続補正１】
【補正対象書類名】実用新案登録請求の範囲
【補正対象項目名】全文
【補正方法】変更
【補正の内容】
【実用新案登録請求の範囲】
【請求項１】
表面に測定対象者の身長を示す柱又は壁の高さ位置を指し示すための矢印が表示されており、裏面に接着手段を有する成長記録ステッカー。
【請求項２】
前記表面にさらに、身長を測定した対象者の名前、測定日、その時の身長、その時の夢、その時の出来事や特徴を記載する欄が設けられていて、小スペースで様々な記録が出来る請求項1記載の成長記録ステッカー。
(57)【要約】      （修正有）【課題】既存のミラーキャビネット等の家具の機能性を損ねることなく、立体的に構成された体を視認できるようになる即席型多面鏡を提供する。【解決手段】鏡１にヒンジ２を介してミラーキャビネット等の家具又は壁面に圧着させることができる圧着面３及び圧着材４を設け、任意の位置に、任意の角度の鏡を増設可能とすることで、視認可能な範囲を広げる。【選択図】図１
0003197539.tif 000002
【実用新案登録請求の範囲】
【請求項１】
鏡面部及びヒンジを介してそれに連なる圧着部及び圧着材からなり、ミラーキャビネット等の家具または壁面に圧着させることが可能であり、かつ、角度を自由に固定できる即席型多面鏡。
【考案の詳細な説明】
【技術分野】
【０００１】
本考案は、ミラーキャビネット等の家具や壁面に、ヒンジを介して連なる圧着面を圧着させることで、任意の位置に、任意の角度の鏡を増やすことができる即席型多面鏡に関するものである。
【先行技術文献】
【特許文献】
【０００２】
【特許文献１】実用新案公開平５−３４９３３
【特許文献２】実用新案公開平５−３７１５０
【特許文献３】実用新案公開平５−４１４３２
【考案の概要】
【考案が解決しようとする課題】
【０００３】
私たちは自分の容姿を点検する際、主に鏡を用いる。しかし、私たちの体は立体的に構成されているので、一枚の鏡で視認できる範囲には限りがあり、例えばオトガイ下部、顎下部、耳介部を視認するのは容易ではない。ところが、私たちが容姿を点検するために用いているミラーキャビネット等の家具には、多くの場合、鏡が一枚しか付帯しておらず、また、仮に複数の鏡が付帯していたとしても、構造上、位置や角度を変え、私たちが見たい部分を見ることは容易ではない場合がある。そこで、どのようにすれば既存のミラーキャビネット等の家具の機能性を損ねることなく、立体的に構成された私たちの体を隅々まで点検することができるようになるかを課題とした。
【課題を解決するための手段】
【０００４】
鏡にヒンジを介してミラーキャビネット等の家具又は壁面に圧着させることができる圧着面及び圧着材を設け、任意の位置に、任意の角度の鏡を増設可能とすることで、視認可能な範囲を広げ、本課題を解決する。
【考案の効果】
【０００５】
ミラーキャビネット等の家具または壁面に即席型多面鏡を付帯させることで、一枚の鏡では視認することが困難なオトガイ下部、顎下部、耳介部などの部位を、頭部を動かし関節に負荷をかけることなく、より容易に視認することができる。
【図面の簡単な説明】
【０００６】
【図１】本考案の概念図である。鏡面部の一辺にヒンジを介して連なる圧着面及び圧着材からなり、ミラーキャビネットなどの家具または壁面に圧着材を圧着し、任意の角度に調節し、使用する。ヒンジは固く、調節した角度を維持できるようになっている。
【図２】本考案の実施図である。ミラーキャビネット等の家具又は壁面に圧着材を圧着させることで、任意の位置に任意の角度の鏡が増設可能となる。
【考案を実施するための形態】
【０００７】
本考案の使用者は、ミラーキャビネット等の家具または壁面の任意の位置に、鏡面部にヒンジを介して連なる圧着面に付帯した圧着材を圧着させ、任意の角度に調節する。このことにより、一枚の鏡では視認することが困難なオトガイ下部、顎下部、耳介部などの部位を、頭部を動かし関節に負荷をかけることなく、より容易に視認することができる。
【符号の説明】
【０００８】
１  鏡面部
２  ヒンジ部
３  圧着部
４  圧着材
【図１】
0003197539.tif 000003
【図２】
0003197539.tif 000004
(57)【要約】      （修正有）【課題】計量の要求に適応可能な秤量ケースを提供する。【解決手段】キャリーバー３と、ケースボディー２と、トップハンドル４と、サイドハンドルと、キャスター１とから構成される秤量ケースであって、ケースボディー２の一側に４つの重量感知装置５が取り付けられ、ケースボディー２の他側にディスプレーが取り付けられている。ケースボディー２の一側に４つの重量感知装置５が取り付けられ、ケースボディー２の他側にディスプレーが取り付けられているので、ケースの中の物の重さを便利に表示することができる。構造が簡単で、実用性が高いという特性を持っている。【選択図】図１
0003197502.tif 000002
【実用新案登録請求の範囲】
【請求項１】
キャリーバー（３）と、ケースボディー（２）と、トップハンドル（４）と、サイドハンドル（７）と、キャスター（１）とから構成される秤量ケースであって、ケースボディー（２）の一側に４つの重量感知装置（５）が取り付けられ、ケースボディー（２）の他側にディスプレー（６）が取り付けられていることを特徴とする秤量ケース。
【請求項２】
前記重量感知装置（５）は、リード線（５１）により制御回路の入力端に接続され、ディスプレー（６）は、制御回路の出力端に接続され、重量感知装置（５）は、ベース（５３）と、カバー（５２）とからなるチャンバーを備え、ベース（５３）と、カバー（５２）とからなるチャンバーに重量センサー（５４）が設置され、カバー（５２）の真ん中に可撓性材料（５７）により支持ブラケット（５６）が接続され、支持ブラケット（５６）に金属シート（５５）が嵌め込まれていることを特徴とする請求項１に記載の秤量ケース。
【考案の詳細な説明】
【技術分野】
【０００１】
本考案は、ケースに関し、具体的に、秤量機能を有する秤量ケースに関するものである。
【背景技術】
【０００２】
ラゲッジケースは、外出の時に持ち運びに便利な特性を持っているが、従来技術に係るラゲッジケースは、秤量の機能がなくて、空港に出入りするといった場合に、荷物に対して重さの制限があるので、非常に不便である。
【考案の概要】
【考案が解決しようとする課題】
【０００３】
本考案は、上述した問題点に鑑みて、計量の要求に適応可能な秤量ケースを提供することを目的とする。
【課題を解決するための手段】
【０００４】
本考案の目的は、キャリーバーと、ケースボディーと、トップハンドルと、サイドハンドルと、キャスターとから構成される秤量ケースであって、ケースボディーの一側に４つの重量感知装置が取り付けられ、ケースボディーの他側にディスプレーが取り付けられ、上記重量感知装置は、リード線により制御回路の入力端に接続され、ディスプレーは、制御回路の出力端に接続され、重量感知装置は、ベースと、カバーとからなるチャンバーを備え、ベースと、カバーとからなるチャンバーに重量センサーが設置され、カバーの真ん中に可撓性材料により支持ブラケットが接続され、支持ブラケットに金属シートが嵌め込まれていることを特徴とする本考案に係る秤量ケースにより実現されている。
【０００５】
本考案に係る秤量ケースは、ケースボディーの一側に４つの重量感知装置が取り付けられ、ケースボディーの他側にディスプレーが取り付けられているので、ケースにおける物の重さを便利に表示することができる。本考案は、構造が簡単で、実用性が高いという特性を持っている。
【図面の簡単な説明】
【０００６】
【図１】本考案に係る秤量ケースの一側の構造を模式的に示す図である。
【図２】本考案に係る秤量ケースの他側の構造を模式的に示す図である。
【図３】本考案に係る秤量ケースの回路の動作原理を示す図である。
【図４】本考案に係る秤量ケースの重量感知装置の構造を模式的に示す図である。
【考案を実施するための形態】
【０００７】
以下、添付図面を参照しながら、実施の形態により本考案をさらに説明する。
【０００８】
図１及び図２に示すように、本考案は、キャリーバー３と、ケースボディー２と、トップハンドル４と、サイドハンドル７と、キャスター１とから構成される秤量ケースであって、ケースボディー２の一側に４つの重量感知装置５が取り付けられ、ケースボディー２の他側にディスプレー６が取り付けられていることを特徴とする秤量ケースである。
【０００９】
図３及び図４に示すように、重量感知装置５は、リード線５１により制御回路の入力端に接続され、ディスプレー６は、制御回路の出力端に接続され、重量感知装置５は、ベース５３と、カバー５２とからなるチャンバーを備え、ベース５３と、カバー５２とからなるチャンバーに重量センサー５４が設置され、カバー５２の真ん中に可撓性材料５７により支持ブラケット５６が接続され、支持ブラケット５６に金属シート５５が嵌め込まれている。
【図１】
0003197502.tif 000003
【図２】
0003197502.tif 000004
【図３】
0003197502.tif 000005
【図４】
0003197502.tif 000006
(57)【要約】      （修正有）【課題】普通の皿をワンプレートとして使う時にドレッシングなどがサラダ以外の食材にまで流れて浸るという食事を楽しむ上での盛り付けに係る制約を解除し、普通の皿に様々な食材を盛り付けてもドレッシングなどが他の食材に浸る事のないドレッシングの流れ防止仕切材を提供する。【解決手段】シリコーン樹脂製の各辺が１０ミリメートルの正三角形の断面を持つ長さ１１０ミリメートルの三角材２本を十文字形に組み合わせたドレッシングの流れ防止仕切り材ロを普通の皿の中央に置く事によりサラダドレッシングが他の食材に浸る事のない楽しい食事のための盛り付けを実現する。【選択図】図２
0003197590.tif 000002
【実用新案登録請求の範囲】
【請求項１】
シリコーン樹脂製の各辺が１０ミリメートルの正三角形の断面を持つ長さ１１０ミリメートルの三角材２本を十文字形に組み合わせた形状で、普通の皿の中央に置く、ドレッシングの流れ防止仕切り材である。
【考案の詳細な説明】
【技術分野】
【０００１】本考案は、普通の皿をワンプレートとして使う時にドレッシングなどがサラダ以外の食材にまで流れて混じらない盛り付けの仕方に関するものである。
【背景技術】
【０００２】普通の皿をワンプレートとして食卓に出す場合、予め食材を分けて盛り付けてもドレッシングがサラダ以外に混ざってしまったりトーストがドレッシングに浸ってしまったりしやすいのでそれを避ける盛り付けに手間がかかっていた。
【考案の概要】
【考案が解決しようとする課題】
【０００３】ワンプレートで食事するには給食用成型プレートが盛り付けがし易く、またドレッシングがサラダ以外の食材のところまで流れにくく便利であるが、それでは盛り付けの見栄えが物足りなく料理に適した好みの皿で食事を楽しむ事はできない。
【課題を解決するための手段】
【０００４】シリコーン樹脂製の各辺が１０ミリメートルの正三角形断面を持つ長さ１１０ミリメートルの三角材２本を十文字形に組み合わせてドレッシングの流れ防止仕切り材にする。この十文字形状のドレッシングの流れ防止仕切り材を皿の上に置いて食材を盛り付ける。この正三角形の断面を持つ仕切り材はシリコーン樹脂製のためその底辺が皿の表面に皿の形状に合わせて密着するためドレッシングが仕切り材を越えて他の仕切りの中にある食材に浸る事を避ける。
【考案の効果】
【０００５】シリコーン樹脂製のため皿の表面に皿の形状に合わせて密着した十文字形のドレッシングの流れ防止仕切り材はドレッシングが仕切りを越えて他の食材に浸る事を避け、各々の食材の味を楽しむ事ができる盛り付けを容易にする。
また、皿のふち２か所とドレッシングの流れ防止仕切り材の上端１か所の３か所を支点としてトーストを同じ皿の上にほぼ水平に乗せる事が可能となりトーストがドレッシングに浸る事を避ける事が可能となる。
【図面の簡単な説明】
【０００６】
【図１】本考案の、実施例の平面図、底面図、正面図、右側面図である。左側面図は右側面図と対称形のため、これを省略する。
【図２】本考案の、実施例の斜め上からの見取り図である。
【考案を実施するための形態】
【０００７】シリコーン樹脂製の各辺が１０ミリメートルの正三角形の断面を持つ長さ１１０ミリメートルの三角材を十文字形に組み合わせたものである。この仕切り材を皿の中央に置くとシリコーン樹脂製のため皿の表面にその形状に合わせて密着する。食材にサラダドレッシングをかけた場合、ドレッシングは仕切り材で他の区域へ流れるのを阻まれる。
【実施例】
【０００８】ワンプレートで食事を用意する際に皿の中央にシリコーン樹脂製十文字形のドレッシングの流れ防止仕切り材を置く。
皿の中央底部はこの仕切り材により４分割されるのでドレッシングなどを使う食材とその他の食材を分けて盛り付ける。
ドレッシングは皿の中央底部でシリコーン樹脂製十文字形のドレッシングの流れ防止仕切り材に阻まれて他の区域へ流れる事はない。
【符号の説明】
【０００９】イ  普通の皿
ロ  ドレッシングの流れ防止仕切り材
ハ  トースト
【図１】
0003197590.tif 000003
【図２】
0003197590.tif 000004
(57)【要約】      （修正有）【課題】高齢者及び身体障害者が浴槽に出入りするのにラクラクと跨ぎ入浴できる浴槽を提供する。【解決手段】浴槽壁１の一部を上端からある高さまで、抉り取ることにより、浴槽上端５の一部において、下方に後退した形状とする。抉り取られた切断面は、キャップ３で覆われる。浴槽壁は、断熱材が内部に充填されたステンレス浴槽壁であり、キャップはステンレス製であって切断面を覆うように浴槽壁表面のステンレス板に溶接されている。【選択図】図１
0003197582.tif 000002
【実用新案登録請求の範囲】
【請求項１】
浴槽壁の一部を上端からある高さまで、抉り取ることにより、浴槽上端が一部において、下方に後退した形状を為し、抉り取られた切断面を覆うキャップを設けた事を特徴する浴槽。
【請求項２】
前記浴槽壁は、断熱材が内部に充填されたステンレス浴槽壁であり、前記キヤップは、ステンレス製であって、前記切断面を覆うように、前記浴槽壁の表面のステンレス板に溶接されている請求項１に記載の浴槽。
【請求項３】
前記浴槽壁の前記後退した部分の両方の上端縁に掛けることにより、前記後退した部分を前記浴槽の内側から取り外し、自在に覆う断面「Ｌ字」状の湯こぼれ防止板を備える請求項１又は２に記載の浴槽。
【請求項４】
前記湯こぼれ防止板は、ステンレス製である請求項３に記載の浴槽。
【考案の詳細な説明】
【技術分野】
【０００１】本考案は、高齢者及び身体障害者が浴槽に出入りするのにラクラクと跨ぎ入浴できる浴槽に関する。
【背景技術】
【０００２】従来、健常者用の形及びデザインは、浴槽壁が均一な高さの商品ばかりで、高齢者・身体障碍者が入浴するのに介護者の援助をうけなければ入浴が困難だった。
【先行技術文献】
【特許文献】
【０００３】
【特許文献１】  特開平８−１１７１２９
【０００４】
【考案の概要】
【考案が解決しようとする課題】
【０００５】従来、健常者用の形及びデザインの商品ばかりで、高齢者・身体障碍者が入浴するのに手すり・すのこ等及び介護者の援助を受けなければ入浴が困難だった。
本考案は、上記の入浴行動を容易にするため、浴槽の形・デザインを変更する。
【課題を解決する為の手段】
【０００６】バスタブの出入り口の高は、例えば床から２０ｃｍ程の高さの位置での出入りが出来る様に、出入り口の部分の高さになる様に改良する。
【考案の効果】
【０００７】浴槽の跨ぎの部分だけ低くなっているので入浴動作は、従来のものより随分容易になる。
湯船に入り入浴するのに、お湯の量が不足の場合は、付属の（湯こぼれ防止板）を装着する。
（湯こぼれ防止板）を使用する事により、健常者も通常どうりの使用が可能になる。
入浴の際の湯量はバスタブの７分目位しか入れないのが普通で入浴の出入りは可能。
【図面の簡単な説明】
【０００８】
【図１】  本件考案の浴槽概略斜視図
【図２】  キャップの斜視図
【図３】  湯こぼれ防止板の斜視図
【図４】  湯こぼれ防止板の使用方法を示す斜視図
【考案を実施するための形態】
【０００９】図１に示す浴槽１０は、ステンレス製の浴槽である。内部に断熱材が充填され、表面がステンレス板で覆われている。
浴槽壁１は、入浴者の出入りする前面において、一部が上端から抉られ、ある高さまで、下方に後退している。これによって、入浴者の浴槽１０への出入りが容易となる。
抉り取られた切断面は、図２に示すキャップ３によって覆われ湯水が浴槽壁１の内部に侵入しないようになっている。キャップ３は、ステンレス製であり、浴槽壁１の表面のステンレス板に溶接されている。
浴槽壁の後退部２から湯がこぼれ出ない様に、図３の湯こぼれ防止板４を着脱自在に取り付けることにより、後退部２を覆うことが出来る。
湯こぼれ防止板４は断面「Ｌ字」状のステンレス板であり、後退部２の両方の上端縁５に掛ける事により、浴槽１０の内側から後退部２を覆うことが出来る。（図４参照）
湯の圧力により、湯水の漏れを抑えることが出来る。
この構成は既存のステンレス製の浴槽の改造に特に適している。
キャップ３の形状の一例を示すと次の通りである。
浴槽の天板からＲ２２．５程の丸みを付けて下にＨ２０ｃｍ程の位置でタブの天板と平行にＲ４５程の丸みを付け、次にタブと天板と平行に４０ｃｍ程行き、次にそこから垂直にＨ２０ｃｍ程あげて浴槽タブの天板の位置に戻す形態とする。
【符号の説明】
【００１０】  １  浴槽壁
２  後退部
３  キャップ
４  湯こぼれ防止板
５  上端縁
１０  浴槽
【図１】
0003197582.tif 000003
【図２】
0003197582.tif 000004
【図３】
0003197582.tif 000005
【図４】
0003197582.tif 000006
(57)【要約】      （修正有）【課題】ひび割れが減少する丸太を提供する。【解決手段】元口１と末口２を有した丸太であって、末口に現れている年輪の中心に穴４を設け、穴から元口まで貫通する貫通部５を設ける。貫通部は年輪の中心から元口に向かい垂直に設けているが、末口から元口まで貫通していれば曲がっていてもよい。穴は年輪の中心に設けているが、末口のどこに設けてもよい。穴の大きさは木の径によって大きさを加減する。この加工を施した木材を製材して角材とするか、丸太のまま建物の柱として利用できる。【選択図】図１
0003197585.tif 000002
【実用新案登録請求の範囲】
【請求項１】
元口と末口を有した丸太であって、末口に現れている年輪の中心に穴を設け、穴から元口まで貫通する貫通部を設けたことを特徴とする丸太。
【考案の詳細な説明】
【技術分野】
【０００１】本考案は、ひび割れ防止が減少する丸太に関するものである。
【考案の概要】
【考案が解決しようとする課題】
【０００２】生木では乾燥しだい、ひび割れが生じる。
【課題を解決するための手段】
【０００３】丸太の年輪の中心部分に穴をあける。穴の大きさは木の径によって大きさを加減する。
【考案の効果】
【０００４】杉、ひのき等の年輪の中心部分に穴をあけると、ひび割れは減少する。
【図面の簡単な説明】
【０００５】
【図１】本考案の丸太を表す図である。
【図２】従来技術の丸太を表す図である。
【考案を実施するための形態】
【０００６】図２に示すように従来の丸太は元口１と末口２を有している。末口２に年輪３が現れている。
本考案は図１に示すように、末口２に現れている年輪３の中心に穴４を設け、穴４から元口１まで貫通する貫通部５を設ける。
図１における貫通部５は年輪３の中心から元口１に向かい垂直に設けているが、末口２から元口１まで貫通していれば曲がっていてもよい。
図１における穴４は年輪３の中心に設けているが、末口２のどこに設けてもよい。
製材した角材を柱として使用している。この工作を施工した木材を丸太のまま建物の柱として利用できる。
【符号の説明】
【０００７】１  元口
２  末口
３  年輪
４  穴
５  貫通部
【図１】
0003197585.tif 000003
【図２】
0003197585.tif 000004
(57)【要約】      （修正有）【課題】着用時に、締め付けすぎた状態で縛った際に感じる、動作を制御されることによる違和感を持つことなく、かつ、十分なめくれ上がり防止効果を有する、キャミソール等のアンダーウェアを提供する。【解決手段】アンダーウェアの本体１の裾側に、レース地による帯体２を縫合したものであり、本体１とレース地による帯体２との縫合部３に、平ゴムによる伸縮素材を取り付けることで絞り部を形成したアンダーウェアであり、本体１の下端側及び帯体２の上端の各々に折り返しを設けると共に、レース地による帯体２の最下端から上端に位置する縫合箇所までの長さを９ｃｍ程度とする。【選択図】図１
0003197524.tif 000002
【実用新案登録請求の範囲】
【請求項１】
本体の裾側に、レース地による帯体を縫合したものであり、
該本体とレース地との縫合部に、伸縮材を取り付けることで絞り部を形成したことを特徴とする、アンダーウェア。
【請求項２】
縫合部に、折り返しを設けたことを特徴とする、請求項１に記載のアンダーウェア。
【請求項３】
レース地による帯体の最下端から上端に位置する縫合箇所までの長さを、９ｃｍ程度とすることを特徴とする、請求項１または２に記載のアンダーウェア。
【考案の詳細な説明】
【技術分野】
【０００１】
本考案はアンダーウェアに関し、詳細には、スカート着用時に身につけるキャミソールやシミーズに関する。
【背景技術】
【０００２】
スカート着用時に、風等でスカートと共にめくれ上がるのを防止するキャミソールとして、特許文献１に記載のチラ見え防止キャミソールが知られている。
【０００３】
該特許文献１に記載のチラ見え防止キャミソールは、キャミソールやスリップの本体と、本体の裾部から下に延びたレースやフリルとの結合部に沿って周回する紐通しのトンネルを設け、正面中央部に通し紐の紐通し口を約１ｃｍ程の間隔で設け、紐通しに通した通し紐の両端近くに結び目を作り、紐通しの穴に通し紐の末端が入り込まない程度のこぶ状を形成したものである。
【０００４】
該特許文献１に記載のチラ見え防止キャミソールによると、腿の付け根部分を紐で縛ることにより、スカートと一緒にキャミソールがめくり上がるのを防ぐことができる。
【考案の概要】
【考案が解決しようとする課題】
【０００５】
しかしながら、該特許文献１に記載のチラ見え防止キャミソールは、絞りこみすぎた状態で縛ると、動作を制御することになり着用時に違和感を持つ場合もあり、反対に緩すぎると、めくれ上がり防止効果が充分でない場合もあった。
【０００６】
そこで、着用時に違和感を持つことなく、かつ、十分なめくれ上がり防止効果を有する、キャミソール等のアンダーウェアが求められていた。
【課題を解決するための手段】
【０００７】
本考案の課題を解決するための手段は、下記のとおりである。
第１に、
本体の裾側に、レース地による帯体を縫合したものであり、
該本体とレース地との縫合部に、伸縮材を取り付けることで絞り部を形成したことを特徴とする、アンダーウェア。
伸縮材としては、平ゴム等を用いることができる。
第２に、
縫合部に折り返しを設けたことを特徴とする、前記第１に記載のアンダーウェア。
折り返しは、本体の下端側及び帯体の上端側の各々を折り返す他に、本体の上端側のみ、若しくは帯体の上端側のみを折り返すことで形成することもできる。
第３に、
レース地による帯体の最下端から上端に位置する縫合箇所までの長さを、９ｃｍ程度とすることを特徴とする、前記第１または第２に記載のアンダーウェア。
【考案の効果】
【０００８】
本考案によれば以下の効果を奏することができる
【０００９】
本考案のアンダーウェアは、着用時に違和感を持つことなく、かつ、十分なめくれ上がり防止効果を有する。
特に、縫合部に折り返しを設けることで、重みが増すので、めくれ上がり防止効果をより高めることができる。
さらに、レース地による帯体の下端から上端に位置する縫合部までの長さを９ｃｍ程度とすることで、特に、着用時に違和感を持つことなく、かつ、十分なめくれ上がり防止効果が期待できる。
【図面の簡単な説明】
【００１０】
【図１】本考案のアンダーウェアを示す斜視図である。
【図２】図１の背面側を示す斜視図である。
【図３】図２の一点鎖線で囲んだ部分の一部断面図である。
【考案を実施するための形態】
【００１１】
以下、本考案を実施するための形態を、図面を参照しつつ具体的に説明する。
ここで、添付図面において同一の部材には同一符号を付しており、また重複した説明は省略されている。
なお、ここでの説明は本考案が実施される一形態であることから、本考案は該当形態に限定されるものではない。
【００１２】
。
図１及び図２に示すように、本例のアンダーウェアとしてのキャミソールは、該キャミソールの本体１の裾側に、レース地による帯体２を縫合したものである。
【００１３】
ここで、本体１の生地としては、ストレッチ性を有し、ポリエステル９５％及びポリウレタン５％からなるものを用いることができる。
帯体２を形成するレース地としては、ポリエステル１００％のものを用いることができ、標準より重めのものを用いることで、めくれ上がり防止効果をより高めることが可能となる。
【００１４】
本体１とレース地による帯体２との縫合部３には、図３に示すように、平ゴム３１による伸縮素材を取り付けることで絞り部が形成されている。
ここで、本体１の下端側を折り返すことで形成する本体折り返し１１を設けると共に、帯体２の上端側を折り返すことで形成する帯体折り返し２１を設けることで、前記縫合部３に前記平ゴム３１を取り付けることで形成される絞り部の重さが増すので、めくれ上がり防止効果をより高めることが可能となる。
【００１５】
本体１の背中幅は、上側が３６〜３０ｃｍ程度、下側が３７〜４０ｃｍ程度とすると、レース地による帯体２の幅は６３〜６４ｃｍ程度とし、縫合部に伸縮材を取り付けることで形成された絞り部の幅は４６〜４７ｃｍ程度とする。
また、本体１の紐部分を除いた背面側の長さを５５〜５８ｃｍ程度、レース地による帯体２の最下端から上端に位置する縫合箇所までの長さは９ｃｍ程度とすることで、着用時の違和感がなく、同時に、めくれ上がりをより効果的に防止することが可能となる。
【符号の説明】
【００１６】
１  本体
１１  本体折り返し
２  帯体
２１  帯体折り返し
３  縫合部
３１  平ゴム
【先行技術文献】
【特許文献】
【００１７】
【特許文献１】実用新案登録第３１６９６３８号公報
【図１】
0003197524.tif 000003
【図２】
0003197524.tif 000004
【図３】
0003197524.tif 000005